(57)【要約】【課題】白色光の色むらの低減を図る。【解決手段】複数の白色ＬＥＤ２１Ｗのうちの一つ以上の白色ＬＥＤ２１Ｗは基板２０の前面における中央領域Ａ１に配置される。さらに、複数の白色ＬＥＤ２１Ｗのうちの一つ以上の白色ＬＥＤ２１Ｗを除く残りの白色ＬＥＤ２１Ｗは基板２０の前面における周辺領域Ａ２１、Ａ２２に配置される。複数の赤色ＬＥＤ２１Ｒ、複数の緑色ＬＥＤ２１Ｇ及び複数の青色ＬＥＤ２１Ｂは、基板２０の前面における中央領域Ａ１及び周辺領域Ａ２１、Ａ２２を含む領域において、複数の白色ＬＥＤ２１Ｗに挟まれる。さらに、複数の赤色ＬＥＤ２１Ｒ、複数の緑色ＬＥＤ２１Ｇ及び複数の青色ＬＥＤ２１Ｂは、基板２０の前面における中央領域Ａ１及び周辺領域Ａ２１、Ａ２２を含む領域において、同色のＬＥＤ同士が上下方向において隣り合わないように配置される。【選択図】        図４
2019160578.tif 000002
【特許請求の範囲】
【請求項１】
平板状の基板の前面に複数のＬＥＤが縦横に並べて実装されたＬＥＤユニットと、
前記複数のＬＥＤから放射される光を集光する複数のレンズを有するレンズブロックと
を備え、
前記複数のＬＥＤは、
赤色光を放射する複数の赤色ＬＥＤと、
緑色光を放射する複数の緑色ＬＥＤと、
青色光を放射する複数の青色ＬＥＤと、
白色光を放射する複数の白色ＬＥＤと
を含み、
前記複数の白色ＬＥＤのうちの一つ以上の白色ＬＥＤは前記基板の前記前面における中央領域に配置され、かつ、前記複数の白色ＬＥＤのうちの前記一つ以上の白色ＬＥＤを除く残りの白色ＬＥＤは前記基板の前記前面における周辺領域に配置され、
前記複数の赤色ＬＥＤ、前記複数の緑色ＬＥＤ及び前記複数の青色ＬＥＤは、前記中央領域及び前記周辺領域を含む領域において、同色のＬＥＤ同士が一つの方向において隣り合わないように配置され、
前記複数の白色ＬＥＤは、前記中央領域及び前記周辺領域において、前記赤色ＬＥＤ、前記緑色ＬＥＤ及び前記青色ＬＥＤのうちの一つ以上のＬＥＤを、前記一つの方向から挟むように配置される、
照明器具。
【請求項２】
前記中央領域に配置される前記白色ＬＥＤの個数は、前記中央領域に配置される前記赤色ＬＥＤ、前記緑色ＬＥＤ及び前記青色ＬＥＤの個数以上である、
請求項１記載の照明器具。
【請求項３】
前記複数の白色ＬＥＤのうちの一つ以上の白色ＬＥＤは、前記基板の前記前面において前記中央領域と前記周辺領域に挟まれた中間領域に配置され、
前記複数の赤色ＬＥＤのうちの一つ以上の赤色ＬＥＤ、前記複数の緑色ＬＥＤのうちの一つ以上の緑色ＬＥＤ及び前記複数の青色ＬＥＤのうちの一つ以上の青色ＬＥＤは、前記中間領域に配置され、
前記中間領域に配置される前記白色ＬＥＤの個数は、前記中間領域に配置される前記赤色ＬＥＤ、前記緑色ＬＥＤ及び前記青色ＬＥＤの個数以下である、
請求項１又は２記載の照明器具。
【請求項４】
前記複数の赤色ＬＥＤの個数は、前記複数の青色ＬＥＤの個数よりも多い、
請求項１〜３のいずれか１項に記載の照明器具。
【請求項５】
前記複数の緑色ＬＥＤの個数は、前記複数の青色ＬＥＤの個数以上、かつ、前記複数の赤色ＬＥＤの個数以下である、
請求項１〜４のいずれか１項に記載の照明器具。
【請求項６】
前記複数の白色ＬＥＤの個数は、前記複数の青色ＬＥＤの個数以上、かつ、前記複数の赤色ＬＥＤの個数以下である、
請求項１〜５のいずれか１項に記載の照明器具。
【請求項７】
前記複数のレンズの個数は、前記ＬＥＤユニットが有する前記複数のＬＥＤの個数と同数であり、
前記複数のレンズは、前記複数のＬＥＤと一対一に対応する、
請求項１〜６のいずれか１項に記載の照明器具。
【請求項８】
前記ＬＥＤユニット及び前記レンズブロックを支持する支持体を備える、
請求項１〜７のいずれか１項に記載の照明器具。
【発明の詳細な説明】
【技術分野】
【０００１】
本発明は、照明器具に関し、より詳細には、複数色のＬＥＤを有する照明器具に関する。
【背景技術】
【０００２】
複数色のＬＥＤ（Light Emitting Diode）を有する照明器具の従来例として特許文献１記載の発光装置を例示する。特許文献１記載の発光装置は、複数のＬＥＤユニットモジュールからなるＬＥＤユニットモジュールアレイを備える。ＬＥＤユニットモジュールは、基板と、基板上に位置するＬＥＤチップ群とを備える。ＬＥＤチップ群は、１２個のＬＥＤチップを備え、各ＬＥＤチップは互いに緊密に配列されている。ＬＥＤチップ群は、四つの白色ＬＥＤ、二つの赤色ＬＥＤ、一つの青色ＬＥＤ、一つの濃青色ＬＥＤ、一つの緑色ＬＥＤ及び一つのシアン色ＬＥＤを含んでいる。
【０００３】
四つの白色ＬＥＤチップは、互いに緊密に内側矩形アレイに配列され、残りの八つのＬＥＤチップは、当該内側矩形アレイを取り囲むように配列される。
【先行技術文献】
【特許文献】
【０００４】
【特許文献１】特表２０１６−５１８０２６号公報
【発明の概要】
【発明が解決しようとする課題】
【０００５】
ところで、赤色ＬＥＤの赤色光と青色ＬＥＤの青色光と緑色ＬＥＤの緑色光を混色させた白色光の色温度は、通常、白色ＬＥＤの白色光の色温度と異なっている。そのため、特許文献１記載の従来例のように白色ＬＥＤが中央にまとめて配置され、白色ＬＥＤの周囲に他の色のＬＥＤが配置された場合、照射面における白色光の混ざり具合が不十分となって色むらが目立ちやすい。
【０００６】
本発明の目的は、白色光の色むらの低減を図ることができる照明器具を提供することである。
【課題を解決するための手段】
【０００７】
本発明の一態様に係る照明器具は、平板状の基板の前面に複数のＬＥＤが縦横に並べて実装されたＬＥＤユニットと、前記複数のＬＥＤから放射される光を集光する複数のレンズを有するレンズブロックとを備える。前記複数のＬＥＤは、赤色光を放射する複数の赤色ＬＥＤと、緑色光を放射する複数の緑色ＬＥＤと、青色光を放射する複数の青色ＬＥＤと、白色光を放射する複数の白色ＬＥＤとを含む。前記複数の白色ＬＥＤのうちの一つ以上の白色ＬＥＤは前記基板の前記前面における中央領域に配置され、かつ、前記複数の白色ＬＥＤのうちの前記一つ以上の白色ＬＥＤを除く残りの白色ＬＥＤは前記基板の前記前面における周辺領域に配置される。前記複数の赤色ＬＥＤ、前記複数の緑色ＬＥＤ及び前記複数の青色ＬＥＤは、前記中央領域及び前記周辺領域を含む領域において、同色のＬＥＤ同士が一つの方向において隣り合わないように配置される。前記複数の白色ＬＥＤは、前記中央領域及び前記周辺領域において、前記赤色ＬＥＤ、前記緑色ＬＥＤ及び前記青色ＬＥＤのうちの一つ以上のＬＥＤを、前記一つの方向から挟むように配置される。
【発明の効果】
【０００８】
本発明の照明器具は、白色光の色むらの低減を図ることができるという効果がある。
【図面の簡単な説明】
【０００９】
【図１】図１は、本発明の一実施形態に係る照明器具の正面図である。
【図２】図２は、同上の照明器具の分解斜視図である。
【図３】図３は、同上の照明器具の一部省略した断面図である。
【図４】図４は、同上の照明器具におけるＬＥＤユニットのＬＥＤの配置図である。
【図５】図５Ａは、同上の照明器具におけるＬＥＤユニットの変形例１のＬＥＤの配置図である。図５Ｂは、同上の照明器具におけるＬＥＤユニットの変形例２のＬＥＤの配置図である。図５Ｃは、同上の照明器具におけるＬＥＤユニットの変形例３のＬＥＤの配置図である。
【発明を実施するための形態】
【００１０】
以下、本発明の一実施形態に係る照明器具について、図面を参照して詳細に説明する。本実施形態の照明器具１は、広い場所や情景を照らし、その周辺より特に高い照度を与える照明（投光照明）に用いる照明器具（投光器）である。さらに、本実施形態の照明器具１は、照明光の光色を白色、赤色、緑色、青色及びそれらの光色を混色させた光色に変化させることができる、いわゆる調色型の投光器である。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１１】
本実施形態の照明器具１は、図１及び図２に示すように、ＬＥＤユニット２と、レンズブロック３と、パネル４と、遮光シート５と、器具本体１０と、アーム１３とを備える。ただし、以下の説明では、特に断りのない限り、図２に矢印で示す方向において照明器具１の上下、前後及び左右の各方向を規定する。
【００１２】
器具本体１０は、前面が開放された箱状の筐体１１と、長方形の平板状に形成されて筐体１１の前面を塞ぐ蓋体１２とを有している（図２参照）。筐体１１及び蓋体１２は、例えば、アルミダイカストで形成されている。筐体１１と蓋体１２は、例えば、ボルトなどの締結部品によって締結される。
【００１３】
アーム１３は、亜鉛めっき鋼板などの金属板によってＵ字状に形成されている。アーム１３の長手方向の第１端が器具本体１０の左側の側壁にねじ止めされ、アーム１３の長手方向の第２端が器具本体１０の右側の側壁にねじ止めされる。器具本体１０は、アーム１３によって回転可能に支持される。
【００１４】
器具本体１０内には電源装置（不図示）が収容される。電源装置は、外部の電源（例えば、商用の電力系統）から供給される交流電力を直流電力に変換する複数（例えば、四つ）の電力変換回路を有する。これら四つの電力変換回路は、後述する４色のＬＥＤ（赤色ＬＥＤ２１Ｒ、緑色ＬＥＤ２１Ｇ、青色ＬＥＤ２１Ｂ及び白色ＬＥＤ２１Ｗ）と一対一に対応している。つまり、電源装置は、外部の制御装置（調光操作卓など）から受け取る制御信号（例えば、ＤＭＸ信号）に応じて、各色のＬＥＤに流す電流を調整することにより、照明光を調光及び調色する。
【００１５】
ＬＥＤユニット２は、平板状の基板２０と、基板２０の前面に実装される複数（４０個）のＬＥＤ２１と、基板２０の前面に実装される二つのレセプタクルコネクタ２５とを有する（図２参照）。複数のＬＥＤ２１は、赤色光を放射する複数（１２個）の赤色ＬＥＤ２１Ｒと、緑色光を放射する複数（１０個）の緑色ＬＥＤ２１Ｇと、青色光を放射する複数（８個）の青色ＬＥＤ２１Ｂと、白色光を放射する複数（１０個）の白色ＬＥＤ２１Ｗとを含む。
【００１６】
基板２０は長方形状に形成されている。基板２０の前面（実装面）に配線用の金属導体（銅はくなど）が形成されている。これらの金属導体（不図示）は、二つのレセプタクルコネクタ２５が有する四つのコンタクト（不図示）のうちの対応する一つのコンタクトのそれぞれと、各色の複数のＬＥＤ２１とを電気的に直列接続する。つまり、電源装置は、二つのレセプタクルコネクタ２５を介してＬＥＤユニット２の各色のＬＥＤ２１に個別に電流を流すことができる。
【００１７】
ＬＥＤユニット２は、器具本体１０の前面（蓋体１２の前面）に取り付けられる。基板２０を貫通する孔がＬＥＤユニット２の基板２０の四隅に設けられている。基板２０の四隅の孔に１本ずつ通された４本のねじ１４が、蓋体１２に設けられているねじ孔にねじ込まれることによってＬＥＤユニット２が器具本体１０に固定される（図１及び図２参照）。
【００１８】
遮光シート５は、電気絶縁性を有する材料（例えば、シリコーン樹脂）によって平板状に形成されている。遮光シート５は、遮光シート５の厚み方向（前後方向）に貫通する円形の複数の孔５０を有している。なお、孔５０の個数及び配置は、基板２０に実装されているＬＥＤ２１の個数（４０個）及び配置に対応している。また、遮光シート５は、遮光シート５の厚み方向に貫通する複数のリブ５１を有している。これら複数のリブ５１は円柱状に形成され、遮光シート５の前面及び後面から前方及び後方に突き出ている。
【００１９】
遮光シート５は、複数のリブ５１の後端を基板２０の前面に当てるようにしてＬＥＤユニット２の前方に配置される。このとき、遮光シート５の前方から見て、遮光シート５の複数の孔５０を通して、ＬＥＤユニット２の複数のＬＥＤ２１が一つずつ露出する。つまり、遮光シート５は、複数のＬＥＤ２１の各々から放射される光が、隣のＬＥＤ２１に対応する孔５０を通して遮光シート５の前方へ進行することを妨げる。
【００２０】
レンズブロック３は、図２及び図３に示すように、アクリル樹脂などの透光性を有する合成樹脂材料により、本体３０と複数（４０個）のレンズ３１とが一体に形成される。本体３０は、矩形平板状の底壁３００と、底壁３００の四周から後方に突き出す周壁３０１とを有する。底壁３００の後面に、複数のレンズ３１が縦横（上下左右）に並べて一体に形成される。なお、これらのレンズ３１は、ＬＥＤユニット２の複数のＬＥＤ（赤色ＬＥＤ２１Ｒ、緑色ＬＥＤ２１Ｇ、青色ＬＥＤ２１Ｂ及び白色ＬＥＤ２１Ｗ）と一対一に対応する位置に設けられる。
【００２１】
本体３０は、上側の周壁３０１と左右両側の周壁３０１のそれぞれから後方へ突き出た三つの固定片３０２を有する（図１及び図２参照）。これらの固定片３０２の先端部分（後端部分）は、前後方向から見てＣ字形状に形成される。なお、これら三つの固定片３０２は、周壁３０１の左右両側及び上側における長手方向の中央の位置にそれぞれ設けられる（図１及び図２参照）。
【００２２】
レンズブロック３は、器具本体１０（蓋体１２）の前面に三つの固定片３０２がねじ止めされることで器具本体１０に取り付けられる（図１参照）。このとき、レンズブロック３は、複数のレンズ３１を遮光シート５の複数の孔５０に一つずつ差し込むようにして遮光シート５の前方に配置される（図３参照）。つまり、複数のレンズ３１と複数のＬＥＤ２１とが一対一に対向する。したがって、複数のＬＥＤ２１から放射される光の各々が、複数のＬＥＤ２１と一対一に対応する一つのレンズ３１で集光されてレンズブロック３の前方に出射される。ゆえに、照明器具１は、複数のレンズ３１によって複数のＬＥＤ２１の光を集光するので、照射面に照射される光の色むらの低減を図ることができる。
【００２３】
パネル４は、パネル本体４０と、外鍔４１とを有する。パネル本体４０と外鍔４１は、ポリカーボネート樹脂などの透光性を有する合成樹脂材料によって一体に形成されている。パネル本体４０は、後面が開放された箱状に形成されている。外鍔４１は、前後方向から見て矩形の枠状に形成され、パネル本体４０の開口端縁（後端縁）から外向きに突き出ている。また、外鍔４１の四つの辺のそれぞれにＵ字形状の溝４２が複数設けられている。
【００２４】
パネル４は、複数の溝４２のそれぞれに１本ずつ通された複数本の固定ねじ４３によって器具本体１０（蓋体１２）の前面に固定される（図１及び図３参照）。ただし、パネル４の外鍔４１と器具本体１０（蓋体１２）との間にシール部材（不図示）が挟み込まれる。つまり、パネル４と器具本体１０がシール部材でシールされる。
【００２５】
次に、ＬＥＤユニット２の基板２０に対する複数のＬＥＤ２１（赤色ＬＥＤ２１Ｒ、緑色ＬＥＤ２１Ｇ、青色ＬＥＤ２１Ｂ及び白色ＬＥＤ２１Ｗ）の配置について、図４を参照して更に詳しく説明する。ただし、図４においては、赤色ＬＥＤ２１Ｒ、緑色ＬＥＤ２１Ｇ、青色ＬＥＤ２１Ｂ及び白色ＬＥＤ２１Ｗを円で表している。さらに、図４において、赤色ＬＥＤ２１Ｒ、緑色ＬＥＤ２１Ｇ及び青色ＬＥＤ２１Ｂを表す円に対して、色ごとに異なる網掛けを記している。なお、白色ＬＥＤ２１Ｗを表す円には網掛けを記していない。
【００２６】
１０個の白色ＬＥＤ２１Ｗのうちの２個の白色ＬＥＤ２１Ｗは、基板２０の前面における中央領域Ａ１に配置される。また、残り８個の白色ＬＥＤ２１Ｗは、基板２０の前面における二つの周辺領域Ａ２１、Ａ２２に４個ずつ配置される。最も個数の多い赤色ＬＥＤ２１Ｒは、基板２０の前面における中央領域Ａ１、二つの周辺領域Ａ２１、Ａ２２、及び二つの中間領域Ａ３１、Ａ３２のそれぞれに配置される。中間領域Ａ３１は、中央領域Ａ１と一方（左側）の周辺領域Ａ２１に挟まれた領域である。中間領域Ａ３２は、中央領域Ａ１と他方（右側）の周辺領域Ａ２２に挟まれた領域である。１０個の緑色ＬＥＤ２１Ｇは、二つの周辺領域Ａ２１、Ａ２２と、二つの中間領域Ａ３１、Ａ３２に配置される。８個の青色ＬＥＤ２１Ｂは、二つの中間領域Ａ３１、Ａ３２に配置される。さらに、複数の赤色ＬＥＤ２１Ｒ、緑色ＬＥＤ２１Ｇ及び青色ＬＥＤ２１Ｂの各々は、基板２０の前面における全領域において、同色のＬＥＤ同士が一つの方向（図４における上下方向）において隣り合わないように配置される。
【００２７】
また、１２個の赤色ＬＥＤ２１Ｒの各々は、一つ以上の緑色ＬＥＤ２１Ｇと、一つ以上の青色ＬＥＤ２１Ｂと、一つ以上の白色ＬＥＤ２１Ｗとを含む４個〜６個のＬＥＤに囲まれている（図４参照）。さらに、それぞれの赤色ＬＥＤ２１Ｒを囲む、一つ以上の緑色ＬＥＤ２１Ｇと一つ以上の青色ＬＥＤ２１Ｂと一つ以上の白色ＬＥＤ２１Ｗは、同色のＬＥＤ同士が隣り合わないように配置されている。つまり、それぞれに赤色ＬＥＤ２１Ｒと緑色ＬＥＤ２１Ｇと青色ＬＥＤ２１Ｂを一つずつ含む複数組のＬＥＤ群が、基板２０の前面においてほぼ均等に配置されている（図４参照）。その結果、照明器具１は、赤色ＬＥＤ２１Ｒの赤色光と、緑色ＬＥＤ２１Ｇの緑色光と、青色ＬＥＤ２１Ｂの青色光とを混色させた照射光における色むらの低減を図ることができる。
【００２８】
さらに、複数の白色ＬＥＤ２１Ｗが、基板２０の前面における中央領域Ａ１と二つの周辺領域Ａ２１、Ａ２２に振り分けられて配置されている。また、複数の白色ＬＥＤ２１Ｗは、中央領域Ａ１と二つの周辺領域Ａ２１、Ａ２２において、赤色ＬＥＤ２１Ｒ、緑色ＬＥＤ２１Ｇ及び青色ＬＥＤ２１Ｂのいずれかを上下方向に沿って挟むように配置されている。そのため、複数の白色ＬＥＤ２１Ｗから放射される白色光と、赤色ＬＥＤ２１Ｒの赤色光と緑色ＬＥＤ２１Ｇの緑色光と青色ＬＥＤ２１Ｂの青色光を混色した白色光とが照射面においてバランスよく混ざり合う。その結果、照明器具１は、特許文献１記載の従来例のように複数の白色ＬＥＤ２１Ｗが比較的狭い領域（基板の中央）に固まって配置される場合と比較して、白色光の色むらの低減を図ることができる。
【００２９】
ところで、ＬＥＤユニット２の構成、特に、基板２０の前面における赤色ＬＥＤ２１Ｒ、緑色ＬＥＤ２１Ｇ、青色ＬＥＤ２１Ｂ及び白色ＬＥＤ２１Ｗの配置は、図４に示した実施形態に限定されない。そこで、基板２０の前面における赤色ＬＥＤ２１Ｒ、緑色ＬＥＤ２１Ｇ、青色ＬＥＤ２１Ｂ及び白色ＬＥＤ２１Ｗの配置を変更したＬＥＤユニット２の変形例１〜３を説明する。
【００３０】
変形例１のＬＥＤユニット２Ａでは、図５Ａに示すように、実施形態におけるＬＥＤユニット２において、周辺領域Ａ２１に配置されている１個の白色ＬＥＤ２１Ｗと、中間領域Ａ３１に配置されている１個の青色ＬＥＤ２１Ｂとが入れ替わっている。さらに、変形例１のＬＥＤユニット２Ａでは、実施形態におけるＬＥＤユニット２において、周辺領域Ａ２２に配置されている１個の白色ＬＥＤ２１Ｗと、中間領域Ａ３２に配置されている１個の青色ＬＥＤ２１Ｂとが入れ替わっている。つまり、変形例１のＬＥＤユニット２Ａでは、基板２０の前面における中間領域Ａ３１、周辺領域Ａ２１、Ａ２２及び中間領域Ａ３１、Ａ３２の全ての領域に白色ＬＥＤ２１Ｗが配置されている。そして、変形例１のＬＥＤユニット２Ａを備える照明器具１は、複数の白色ＬＥＤが基板の中央に固まって配置される場合と比較して、白色光の色むらの低減を図ることができる。
【００３１】
変形例２のＬＥＤユニット２Ｂでは、図５Ｂに示すように、実施形態におけるＬＥＤユニット２において、中央領域Ａ１の一番下に配置されている１個の赤色ＬＥＤ２１Ｒと、周辺領域Ａ２２の一番上に配置されている１個の白色ＬＥＤ２１Ｗとが入れ替わっている。また、変形例２のＬＥＤユニット２Ｂでは、実施形態におけるＬＥＤユニット２において、周辺領域Ａ２２の上から二番目に配置されている１個の緑色ＬＥＤ２１Ｇと、周辺領域Ａ２２の下から二番目に配置されている１個の白色ＬＥＤ２１Ｗとが入れ替わっている。さらに、変形例２のＬＥＤユニット２Ｂでは、実施形態におけるＬＥＤユニット２において、周辺領域Ａ２１の一番上に配置されている１個の白色ＬＥＤ２１Ｗと、周辺領域Ａ２１の下から三番目に配置されている１個の赤色ＬＥＤ２１Ｒとが入れ替わっている。つまり、変形例２のＬＥＤユニット２Ｂでは、実施形態におけるＬＥＤユニット２に対して、周辺領域Ａ２２に配置される白色ＬＥＤ２１Ｗの個数が一つ減少し、かつ、中央領域Ａ１に配置される白色ＬＥＤ２１Ｗの個数が一つ増加している。そして、変形例２のＬＥＤユニット２Ｂを備える照明器具１は、複数の白色ＬＥＤが基板の中央に固まって配置される場合と比較して、白色光の色むらの低減を図ることができる。
【００３２】
変形例３のＬＥＤユニット２Ｃでは、図５Ｃに示すように、実施形態におけるＬＥＤユニット２において、中央領域Ａ１の上から二番目に配置されている１個の赤色ＬＥＤ２１Ｒが、周辺領域Ａ２２の下から二番目の位置に配置されている。また、変形例３のＬＥＤユニット２Ｃでは、実施形態におけるＬＥＤユニット２において、周辺領域Ａ２２の下から二番目の白色ＬＥＤ２１Ｗが、中間領域Ａ３１の上から三番目の位置に配置されている。さらに、変形例３のＬＥＤユニット２Ｃでは、実施形態におけるＬＥＤユニット２において、中間領域Ａ３１の上から三番目の緑色ＬＥＤ２１Ｇが、中央領域Ａ１の上から三番目の位置に配置されている。また、変形例３のＬＥＤユニット２Ｃでは、実施形態におけるＬＥＤユニット２において、周辺領域Ａ２１の一番上の１個の白色ＬＥＤ２１Ｗと、周辺領域Ａ２１の一番下の１個の赤色ＬＥＤ２１Ｒとが入れ替わっている。さらに、変形例３のＬＥＤユニット２Ｃでは、実施形態におけるＬＥＤユニット２において、周辺領域Ａ２２の上から二番目の１個の緑色ＬＥＤ２１Ｇと、周辺領域Ａ２２の下から三番目の１個の赤色ＬＥＤ２１Ｒとが入れ替わっている。つまり、変形例３のＬＥＤユニット２Ｃでは、最も個数の多い赤色ＬＥＤ２１Ｒが周辺領域Ａ２１、Ａ２２と中間領域Ａ３１、Ａ３２に配置され、２番目に個数の多い緑色ＬＥＤ２１Ｇが中央領域Ａ１に配置されている。そして、変形例３のＬＥＤユニット２Ｃを備える照明器具１は、複数の白色ＬＥＤが基板の中央に固まって配置される場合と比較して、白色光の色むらの低減を図ることができる。
【００３３】
ここで、照明器具１において、基板２０の前面の中央領域Ａ１に配置される白色ＬＥＤ２１Ｗの個数は、中央領域Ａ１に配置される赤色ＬＥＤ２１Ｒ、緑色ＬＥＤ２１Ｇ及び青色ＬＥＤ２１Ｂの個数以上であることが好ましい。すなわち、実施形態におけるＬＥＤユニット２と変形例１〜３のＬＥＤユニット２Ａ〜２Ｃの中央領域Ａ１には合計４個のＬＥＤが配置され、４個のＬＥＤのうちの２個又は３個のＬＥＤが白色ＬＥＤ２１Ｗである。照明器具１は、ＬＥＤユニット２、２Ａ〜２Ｃが上述のように構成されることにより、中央領域Ａ１における白色ＬＥＤ２１Ｗの白色光の割合が５０％以上となる。そのため、照明器具１は、白色光の色むらの更なる低減を図ることができる。
【００３４】
また、照明器具１において、基板２０の前面の中間領域Ａ３１、Ａ３２に配置される白色ＬＥＤ２１Ｗの個数は、中間領域Ａ３１、Ａ３２に配置される赤色ＬＥＤ２１Ｒ、緑色ＬＥＤ２１Ｇ及び青色ＬＥＤ２１Ｂの個数以下であることが好ましい。すなわち、実施形態におけるＬＥＤユニット２と変形例１〜３のＬＥＤユニット２Ａ〜２Ｃの中間領域Ａ３１、Ａ３２には各々１２個のＬＥＤが配置され、そのうちの白色ＬＥＤ２１Ｗの個数は０〜２個である。照明器具１は、ＬＥＤユニット２、２Ａ〜２Ｃが上述のように構成されることにより、赤色光と緑色光と青色光をバランスよく混色させて様々な色の光の色むらの低減を図ることができる。
【００３５】
ここで、照明器具１において、ＬＥＤユニット２、２Ａ〜２Ｃが有する赤色ＬＥＤ２１Ｒの個数は、青色ＬＥＤ２１Ｂの個数よりも多いことが好ましい。照明器具１は、ＬＥＤユニット２、２Ａ〜２Ｃが上述のように構成されることにより、青色光に対して赤色光を増やすことにより、赤色光、緑色光及び青色光の混色による白色光の色温度を低下させることができる。
【００３６】
また、照明器具１において、ＬＥＤユニット２、２Ａ〜２Ｃが有する緑色ＬＥＤ２１Ｇの個数は、青色ＬＥＤ２１Ｂの個数以上、かつ、赤色ＬＥＤ２１Ｒの個数以下であることが好ましい。照明器具１は、ＬＥＤユニット２、２Ａ〜２Ｃが上述のように構成されることにより、赤色光、緑色光及び青色光をバランスよく混色させて様々な色の光を照射することができる。
【００３７】
さらに、照明器具１において、ＬＥＤユニット２、２Ａ〜２Ｃが有する白色ＬＥＤ２１Ｗの個数は、青色ＬＥＤ２１Ｂの個数以上、かつ、赤色ＬＥＤ２１Ｒの個数以下であることが好ましい。照明器具１は、ＬＥＤユニット２、２Ａ〜２Ｃが上述のように構成されることにより、色温度の異なる２種類の白色光をバランスよく混色させて色むらの低減を図ることができる。
【００３８】
上述のように本発明の第１の態様に係る照明器具（１）は、平板状の基板（２０）の前面に複数のＬＥＤ（２１）が縦横に並べて実装されたＬＥＤユニット（２；２Ａ；２Ｂ；２Ｃ）を備える。第１の態様に係る照明器具（１）は、複数のＬＥＤ（２１）から放射される光を集光する複数のレンズ（３１）を有するレンズブロック（３）を備える。複数のＬＥＤ（２１）は、赤色光を放射する複数の赤色ＬＥＤ（２１Ｒ）と、緑色光を放射する複数の緑色ＬＥＤ（２１Ｇ）と、青色光を放射する複数の青色ＬＥＤ（２１Ｂ）と、白色光を放射する複数の白色ＬＥＤ（２１Ｗ）とを含む。複数の白色ＬＥＤ（２１Ｗ）のうちの一つ以上の白色ＬＥＤ（２１Ｗ）は基板（２０）の前面における中央領域（Ａ１）に配置される。さらに、複数の白色ＬＥＤ（２１Ｗ）のうちの一つ以上の白色ＬＥＤ（２１Ｗ）を除く残りの白色ＬＥＤ（２１Ｗ）は基板（２０）の前面における周辺領域（Ａ２１、Ａ２２）に配置される。複数の赤色ＬＥＤ（２１Ｒ）、複数の緑色ＬＥＤ（２１Ｇ）及び複数の青色ＬＥＤ（２１Ｂ）は、中央領域（Ａ１）及び周辺領域（Ａ２１、Ａ２２）を含む領域において、同色のＬＥＤ同士が一つの方向において隣り合わないように配置される。複数の白色ＬＥＤ（２１Ｗ）は、中央領域（Ａ１）及び周辺領域（Ａ２１、Ａ２２）において、赤色ＬＥＤ（２１Ｒ）、緑色ＬＥＤ（２１Ｇ）及び青色ＬＥＤ（２１Ｂ）のうちの一つ以上のＬＥＤを、一つの方向から挟むように配置される。
【００３９】
第１の態様に係る照明器具（１）は、複数の白色ＬＥＤ（２１Ｗ）から放射される白色光と、赤色ＬＥＤ（２１Ｒ）の赤色光と緑色ＬＥＤ（２１Ｇ）の緑色光と青色ＬＥＤ（２１Ｂ）の青色光を混色した白色光とをバランスよく混ざり合わせることができる。その結果、第１の態様に係る照明器具（１）は、複数の白色ＬＥＤが比較的狭い領域（基板の中央）に固まって配置される場合と比較して、白色光の色むらの低減を図ることができる。
【００４０】
本発明の第２の態様に係る照明器具（１）は、第１の態様との組合せにより実現され得る。第２の態様に係る照明器具（１）において、中央領域（Ａ１）に配置される白色ＬＥＤ（２１Ｗ）の個数は、中央領域（Ａ１）に配置される赤色ＬＥＤ（２１Ｒ）、緑色ＬＥＤ（２１Ｇ）及び青色ＬＥＤ（２１Ｂ）の個数以上であることが好ましい。
【００４１】
第２の態様に係る照明器具（１）は、中央領域（Ａ１）における白色ＬＥＤ（２１Ｗ）の白色光の割合が５０％以上となるため、白色光の色むらの更なる低減を図ることができる。
【００４２】
本発明の第３の態様に係る照明器具（１）は、第１又は第２の態様との組合せにより実現され得る。第３の態様に係る照明器具（１）において、複数の白色ＬＥＤ（２１Ｗ）のうちの一つ以上の白色ＬＥＤ（２１Ｗ）は、基板（２０）の前面において中央領域（Ａ１）と周辺領域（Ａ２１、Ａ２２）に挟まれた中間領域（Ａ３１、Ａ３２）に配置されることが好ましい。複数の赤色ＬＥＤ（２１Ｒ）のうちの一つ以上の赤色ＬＥＤ（２１Ｒ）、複数の緑色ＬＥＤ（２１Ｇ）のうちの一つ以上の緑色ＬＥＤ（２１Ｇ）及び複数の青色ＬＥＤ（２１Ｂ）のうちの一つ以上の青色ＬＥＤ（２１Ｂ）は、中間領域（Ａ３１、Ａ３２）に配置されることが好ましい。中間領域（Ａ３１、Ａ３２）に配置される白色ＬＥＤ（２１Ｗ）の個数は、中間領域（Ａ３１、Ａ３２）に配置される赤色ＬＥＤ（２１Ｒ）、緑色ＬＥＤ（２１Ｇ）及び青色ＬＥＤ（２１Ｂ）の個数以下であることが好ましい。
【００４３】
第３の態様に係る照明器具（１）は、赤色光と緑色光と青色光をバランスよく混色させて様々な色の光の色むらの低減を図ることができる。
【００４４】
本発明の第４の態様に係る照明器具（１）は、第１〜第３の態様のいずれか一つとの組合せにより実現され得る。第４の態様に係る照明器具（１）において、複数の赤色ＬＥＤ（２１Ｒ）の個数は、複数の青色ＬＥＤ（２１Ｂ）の個数よりも多いことが好ましい。
【００４５】
第４の態様に係る照明器具（１）は、青色光に対して赤色光を増やすことにより、赤色光、緑色光及び青色光の混色による白色光の色温度を低下させることができる。
【００４６】
本発明の第５の態様に係る照明器具（１）は、第１〜第４の態様のいずれか一つとの組合せにより実現され得る。第５の態様に係る照明器具（１）において、複数の緑色ＬＥＤ（２１Ｇ）の個数は、複数の青色ＬＥＤ（２１Ｂ）の個数以上、かつ、複数の赤色ＬＥＤ（２１Ｒ）の個数以下であることが好ましい。
【００４７】
第５の態様に係る照明器具（１）は、赤色光、緑色光及び青色光をバランスよく混色させて様々な色の光を照射することができる。
【００４８】
本発明の第６の態様に係る照明器具（１）は、第１〜第５の態様のいずれか一つとの組合せにより実現され得る。第６の態様に係る照明器具（１）において、複数の白色ＬＥＤ（２１Ｗ）の個数は、複数の青色ＬＥＤ（２１Ｂ）の個数以上、かつ、複数の赤色ＬＥＤ（２１Ｒ）の個数以下であることが好ましい。
【００４９】
第６の態様に係る照明器具（１）は、色温度の異なる２種類の白色光をバランスよく混色させて色むらの低減を図ることができる。
【００５０】
本発明の第７の態様に係る照明器具（１）は、第１〜第６の態様のいずれか一つとの組合せにより実現され得る。第７の態様に係る照明器具（１）において、複数のレンズ（３１）の個数は、ＬＥＤユニット（２；２Ａ；２Ｂ；２Ｃ）が有する複数のＬＥＤ（２１）の個数と同数であることが好ましい。複数のレンズ（３１）は、複数のＬＥＤ（２１）と一対一に対応することが好ましい。
【００５１】
第７の態様に係る照明器具（１）は、複数のレンズ（３１）によって複数のＬＥＤの光を集光するので、照射面に照射される光の色むらの低減を図ることができる。
【００５２】
本発明の第８の態様に係る照明器具（１）は、第１〜第７の態様のいずれか一つとの組合せにより実現され得る。第８の態様に係る照明器具（１）において、ＬＥＤユニット（２；２Ａ；２Ｂ；２Ｃ）及びレンズブロック（３）を支持する支持体（器具本体１０）を備えることが好ましい。
【００５３】
第８の態様に係る照明器具（１）は、ＬＥＤユニット（２；２Ａ；２Ｂ；２Ｃ）とレンズブロック（３）が別々の部材に支持される場合に比べて、組立て作業の作業性の向上を図ることができる。
【符号の説明】
【００５４】
１  照明器具
２；２Ａ；２Ｂ；２Ｃ  ＬＥＤユニット
３  レンズブロック
１０  器具本体（支持体）
２０  基板
２１  ＬＥＤ
２１Ｒ  赤色ＬＥＤ
２１Ｇ  緑色ＬＥＤ
２１Ｂ  青色ＬＥＤ
２１Ｗ  白色ＬＥＤ
３１  レンズ
Ａ１  基板の前面の中央領域
Ａ２１、Ａ２２  基板の前面の周辺領域
Ａ３１、Ａ３２  基板の前面の中間領域
【図１】
2019160578.tif 000003
【図２】
2019160578.tif 000004
【図３】
2019160578.tif 000005
【図４】
2019160578.tif 000006
【図５】
2019160578.tif 000007